【事件の表示】
　特許第３３３４４７５号「ホルマリン捕捉防湿シート及び化粧板及び内装用部材」の請求項１ないし５に係る特許に対する特許異議の申立てについて、次のとおり決定する。
【結　論】
　訂正を認める。
　特許第３３３４４７５号の請求項１ないし３に係る特許を維持する。
【理　由】
１　手続の経緯 
 　特許第３３３４４７５号の手続の経緯は以下の通りである。
　
特許出願　　　　　　　　　　　　　　　　　平成　８年　１月３１日
特許権設定登録　　　　　　　　　　　　　　平成１４年　８月　２日
特許異議の申立て（特許異議申立人　長谷川三冶子）
　　　　　　　　　　　　　　　　　　　　　平成１５年　４月１５日付け
取消理由通知　　　　　　　　　　　　　　　平成１７年　１月１８日付け
訂正請求　　　　　　　　　　　　　　　　　平成１７年　３月２５日付け
　　　　　　　　　　　　　　　（平成１７年１０月１４日付けで取下げ）
特許異議意見書　　　　　　　　　　　　　　平成１７年　３月２５日付け
取消理由通知　　　　　　　　　　　　　　　平成１７年１０月１８日付け
訂正請求　　　　　　　　　　　　　　　　　平成１７年１０月２４日付け
　
　
２　訂正の適否についての判断 
２−１　訂正の内容 
　平成１７年１０月２４日付けでなされた訂正請求は以下の内容のものである。
　
訂正事項ａ 
　特許請求の範囲請求項１を削除する。
訂正事項ｂ
　特許請求の範囲請求項２を削除する。
訂正事項ｃ
　訂正前の特許請求の範囲請求項３を「【請求項１】少なくともホルマリン捕捉剤含有基体層と防湿層とを積層してなるホルマリン捕捉防湿シートを、基材の両面に貼付してなる化粧板であって、そのホルマリン捕捉剤含有基体層を前記基材表面に接して貼付されてなることを特徴とし、前記ホルマリン捕捉防湿シートの少なくとも一方が、ホルマリン捕捉剤含有基体層と、防湿層と、繊維質基体層とをこの順に積層してなることを特徴とするホルマリン捕捉防湿シートであることを特徴とする化粧板。」と訂正する。
訂正事項ｄ
　訂正前の特許請求の範囲請求項４を「【請求項２】少なくともホルマリン捕捉剤含有基体層と防湿層とを積層してなるホルマリン捕捉防湿シートを、基材の両面に貼付してなる化粧板であって、前記ホルマリン捕捉防湿シートの少なくとも一方が、防湿層の両面に、ホルマリン捕捉剤含有基体層を積層してなることを特徴とするホルマリン捕捉防湿シートであることを特徴とする化粧板。」と訂正する。
訂正事項ｅ
　訂正前の特許請求の範囲請求項５を「【請求項３】角材を縦横に組んでなる枠心の表裏に板材を張り合わせたフラッシュ構造のドア等の内装用部材において、前記板材が請求項１又は２に記載の化粧板であることを特徴とする内装用部材。」と訂正する。
訂正事項ｆ
　発明の詳細な説明の段落【００１０】の記載を削除する。
訂正事項ｇ
　発明の詳細な説明の段落【００１１】の記載を削除する。
訂正事項ｈ
　発明の詳細な説明の段落【００１２】「【００１２】本発明の化粧板は、少なくともホルマリン捕捉剤含有基体層と防湿層とを積層してなるホルマリン捕捉防湿シートを、基材の両面に貼付してなる化粧板であって、前記ホルマリン捕捉防湿シートの少なくとも一方が、上記のいずれかのホルマリン捕捉防湿シートであることを特徴とするものである。」という記載を、「段落【００１２】【課題を解決するための手段】本発明の化粧板は、少なくともホルマリン捕捉剤含有基体層と防湿層とを積層してなるホルマリン捕捉防湿シートを、基材の両面に貼付してなる化粧板であって、そのホルマリン捕捉剤含有基体層を前記基材表面に接して貼付されてなることを特徴とし、前記ホルマリン捕捉防湿シートの少なくとも一方が、ホルマリン捕捉剤含有基体層と、防湿層と、繊維質基体層とをこの順に積層してなることを特徴とするホルマリン捕捉防湿シートであることを特徴とするものである。」と訂正する。
訂正事項ｉ
　発明の詳細な説明の段落【００１３】「【００１３】また本発明の化粧板は、前記ホルマリン捕捉防湿シートの少なくとも一方が、防湿層の両面にホルマリン捕捉剤含有基体層をホルマリン捕捉防湿シートである。」との記載を、「【００１３】また本発明の化粧板は、少なくともホルマリン捕捉剤含有基体層と防湿層とを積層してなるホルマリン捕捉防湿シートを、基材の両面に貼付してなる化粧板であって、前記ホルマリン捕捉防湿シートの少なくとも一方が、防湿層の両面に、ホルマリン捕捉剤含有基体層を積層してなることを特徴とするホルマリン捕捉防湿シートであることを特徴とするものである。」と訂正する。
訂正事項ｊ
　発明の名称を「化粧板及び内装用部材」と訂正する。
　
２−２　訂正の目的の適否、新規事項の有無及び特許請求の範囲の拡張・変更の存否 
（１）訂正事項ａ及びｂについて
　請求項１及び２を削除することは、特許請求の範囲の減縮を目的とする明細書の訂正に該当する。そしてこれらの訂正は、願書に添付した明細書又は図面に記載した事項の範囲内のものであり、実質上特許請求の範囲を拡張し、又は変更するものではない。
（２）訂正事項ｃについて
　訂正事項ｃは、上記訂正事項ａ及びｂで請求項を削除したために、訂正前の請求項３を請求項１に繰り上げたものであり、訂正前の請求項１を引用していたものを独立形式で記載するとともに「ホルマリン捕捉剤含有基体層を前記基材表面に接して貼付されてなること」という事項を付加することにより、ホルマリン捕捉防湿シートの基材に貼付する面を限定したものであるから、特許請求の範囲の減縮及び明りょうでない記載の釈明を目的とするものである。
　そして「ホルマリン捕捉剤含有基体層を前記基材表面に接して貼付されてなること」という技術的事項は、願書に添付した明細書の段落【００２９】の「しかし、ホルマリン捕捉効率上、ホルマリン捕捉剤含有基体層３は、ホルマリンの発生源たる基材に接して貼付する構成とした方がより好ましく」、及び段落【００４５】の「厚さ２．５ｍｍの中密度繊維板を基材とし、この片面に上記絵柄の意匠が施されたホルマリン捕捉防湿シートを、もう片面に上記絵柄の意匠のないホルマリン捕捉防湿シートを、それぞれホルマリン補足剤含有基体層を基材表面側に向けて、酢酸ビニル系エマルジョン接着剤を使用して貼付し、化粧板を得た。」との記載に基づくから、願書に添付した明細書又は図面に記載した事項の範囲内のものであり、実質上特許請求の範囲を拡張し、又は変更するものではない。 
（３）訂正事項ｄについて
　訂正事項ｄは、上記訂正事項ａ及びｂに係る訂正で請求項を削除したために、訂正前の請求項４を繰り上げて請求項２としたものであって、請求項の記載を整合させるために、訂正前の請求項４を独立形式で記載したものであるから、明りょうでない記載の釈明を目的とするものである。
（４）訂正事項ｅについて
　訂正事項ｅは、上記訂正事項ａないしｄの訂正に伴い、訂正前の請求項５を繰り上げて請求項３として、引用する請求項をそれに整合させるものであるから、明りょうでない記載の釈明を目的とするものである。　
（５）訂正事項ｆないしｊについて
　訂正事項ｆないしｊは、上記訂正事項ａないしｅの訂正に伴い、発明の名称及び発明の詳細な説明の記載を特許請求の範囲の記載に整合させるものであるから、明りょうでない記載の釈明を目的とするものである。
　
　そしてこれらの訂正は、願書に添付した明細書又は図面に記載した事項の範囲内のものであり、実質上特許請求の範囲を拡張し、又は変更するものでもない。 
　
２−３　むすび 
　したがって、上記訂正は、特許法第１２０条の４第２項及び同条第３項において準用する第１２６条第２項から第４項までの規定に適合するので、当該訂正を認める。　 
　
　
３　本件発明 
　上記２．に示したように上記訂正が認められるから、本件の請求項１ないし３に係る発明（以下「本件発明１ないし３」という。）は、上記訂正に係る訂正明細書の特許請求の範囲請求項１ないし３に記載された以下の事項により特定されるとおりのものである。
　
【請求項１】少なくともホルマリン捕捉剤含有基体層と防湿層とを積層してなるホルマリン捕捉防湿シートを、基材の両面に貼付してなる化粧板であって、そのホルマリン捕捉剤含有基体層を前記基材表面に接して貼付されてなることを特徴とし、前記ホルマリン捕捉防湿シートの少なくとも一方が、ホルマリン捕捉剤含有基体層と、防湿層と、繊維質基体層とをこの順に積層してなることを特徴とするホルマリン捕捉防湿シートであることを特徴とする化粧板。
【請求項２】少なくともホルマリン捕捉剤含有基体層と防湿層とを積層してなるホルマリン捕捉防湿シートを、基材の両面に貼付してなる化粧板であって、前記ホルマリン捕捉防湿シートの少なくとも一方が、防湿層の両面に、ホルマリン捕捉剤含有基体層を積層してなることを特徴とするホルマリン捕捉防湿シートであることを特徴とする化粧板。
【請求項３】角材を縦横に組んでなる枠心の表裏に板材を張り合わせたフラッシュ構造のドア等の内装用部材において、前記板材が請求項１又は２に記載の化粧板であることを特徴とする内装用部材。　
　
　
４　申立ての理由の概要 
 　特許異議申立人長谷川三冶子は、証拠として下記甲第１ないし４号証を提出し、特許請求の範囲請求項１ないし５に係る発明は、当業者が甲第１ないし４号証に記載された発明に基いて容易に発明をすることができたものであるから、特許法第２９条第２項の規定に違反して特許されたものであり、上記請求項１ないし５に係る発明の特許は取り消すべきものである旨の主張をしている。 
　
　　　　　　　　　　　　記
甲第１号証：特開平５−１４８７９７号公報
甲第２号証：特公昭５２−１３４号公報
甲第３号証：特開昭５６−１２１７１３号公報
甲第４号証：特開平７−２３２３０５号公報
　
　
５　取消理由の概要 
（１）当審の通知した平成１７年１月１８日付け取消の理由の概要は、特許請求の範囲請求項１ないし５に係る発明は、当業者が下記刊行物１ないし３に記載された発明に基いて容易に発明をすることができたものであるから、特許法第２９条第２項の規定に違反して特許されたものであり、上記請求項１ないし５に係る発明の特許は取り消されるべきものであるというものである。　
　
　　　　　　　　　　　　記
 刊行物１　特開昭５６−１２１７１３号公報（甲第３号証） 
 刊行物２　特開平７−２３２３０５号公報（甲第４号証） 
 刊行物３　特開平６−２７２４５５号公報 
　
（２）当審の通知した平成１７年１０月１８日付け取消の理由の概要は、本件出願は、明細書及び図面の記載が不備であるから特許法第３６条第６項第１号に規定する要件を満たしておらず、本件請求項１及び２に係る発明の特許は取り消されるべきものであるというものである。
　
６．甲各号証及び各刊行物の記載事項 
　異議申立人の提出した甲第１ないし４号証及び刊行物１ないし３には以下の事項が記載されている。
　
甲第１号証
（Ａ−１）
「【請求項１】グリオキザ−ル、ホルムアルデヒド、グルタルアルデヒドから選択された硫黄系悪臭を抑制する消臭成分を含有し、ｐＨを、７〜９の範囲に調整した吸水性ペ−パ−、並びに、２−ブロモ−２−ニトロ−１、３−プロパンジオ−ル、２、３−ジヒドロキシ−１、４−ジオキサン、カテキン、乳酸、フラボノイドから選択された１つ以上の窒素系悪臭を抑制する消臭成分を含有し、ｐＨを３〜５の範囲に調整した吸水性ペ−パ−並びに、非透水性膜を積層したことを特徴とする積層ペ−パ−消臭剤。
【請求項２】
　更に、各積層したペ−パ−の間には、非透水性薄膜を挾んだことを特徴とする請求項１に記載の積層ペ−パ−消臭剤。」（特許請求の範囲請求項１及び２）
　
甲第２号証
（Ｂ−１）
「１　ホルマリンを吸収反応する含窒素化合物の溶液を紙に含浸し乾燥させたことを特徴とするホルマリン吸収用の防臭加工紙」（特許請求の範囲）　
（Ｂ−２）
「フラッシュパネルより組立てた家具類のホルマリン除去、襖紙として合板壁の部屋の脱ホルマリン臭、またはホルマリン発生するか残留物のある容器または包装紙等にホルマリン除去用として用いられる。」（第２頁第４欄第１５〜１９行）
（Ｂ−３）
「３　木目印刷用紙として使用する場合
本発明防臭加工紙（後述する実施例１に使用のものと同じ）にて形成された木目印刷紙を合板上に熱盤温度１４０℃、熱圧時間５分でプレスし、化粧面を内側にし、長さ４５ｃｍ×巾３０ｃｍのフラッシュパネルを作り、この内部に充満したホルムアルデヒド濃度を測定し、未処理パネルの場合と比較した。
            ２日後　１０日後　３０日後　６０日後
本発明品使用　５　　　　０　　　　０　　　　０
未処理パネル　５　　　２０　　　５０　　　５０
                                （単位　ｐｐｍ）
　この結果から、本発明防臭加工紙を合板のパターン紙に使用してもホルマリン吸収効果の多大なることが判明した。」（第４頁第７欄第３〜１７行）
　
甲第３号証（刊行物１）
（Ｃ−１）
「本発明は亜硫酸ナトリウム、アンモニウムコバルト、尿素等を水に溶解して作成したホルムアルデヒドキャッチャー剤溶液（１）内に、不織布、和紙等の溶液を含浸し易い単板（２）の片面にポリエチレンフィルム、ポリプロピレンフィルム等の通気性を有しない合成樹脂フィルム（３）を装貼したシート（４a）を浸漬して、該単板（２）内に充分にホルムアルデヒドキャッチャー剤溶液（１）を含浸させ、次いで乾燥器内で水分を除去してホルムアルデヒドキャッチャー剤の結晶を内部に散在したシート（４ｂ）を作成する。次いで該シート（４ｂ）を合成樹脂フィルム（３）側を内面にして、合板、チップボード、パーティクルボード等の台板（５）の裏面に温度１８０℃乃至２５０℃、圧力５ｋｇ／ｃｍ2乃至１０ｋｇ／ｃｍ2、時間２０秒乃至１００秒の圧締条件で熱圧締し、合成樹脂フィルム（３）を溶融して貼着するとともに台板（５）の表面には化粧紙、塩化ビニール樹脂シート、突板等を貼着して化粧層（６）を形成して作られるホルムアルデヒド臭の無い化粧板（７）である。 
 　尚、上記実施例の如く単板（２）の片面に合成樹脂フィルム（３）を装貼したのち、該単板（２）内にホルムアルデヒドキャッチャー剤の結晶を散在させても良く、又あらかじめホルムアルデヒドキャッチャー剤の結晶を内部に散在させた単板（２）の片面に合成樹脂フィルム（３）を装貼しても良い。」（第１頁右欄１９行−第２頁右上欄３行） 
（Ｃ−２）
「又ホルムアルデヒドキャッチャー剤は単板の内部に散在しているので化粧板製造装置にサビを生じさせることも少くなる。又台板は片面を通気性の無い合成樹脂フィルムで被覆されているので台板裏面からのホルムアルデヒドの放出も阻止出来るとともに水分の出入りも少くなり、台板の含水率を一定に保持し、化粧板の反りを防止することが出来る効果を有している。」（第２頁左下欄第３−１１行） 
　
甲第４号証（刊行物２）
（Ｄ−１）
「【請求項１】木質基材（２）の両面又は片面に、熱可塑性樹脂シート（３２）の両面にそれぞれ紙（３１）が融着された三層シート（３）を貼設して構成した耐湿性複合板。」（特許請求の範囲請求項１） 
（Ｄ−２）
「【産業上の利用分野】本発明は、壁材、家具やドアの表面材、外壁材或いは水廻り棚板、更には折り曲げて用いられる建材や造作材などに使用可能な程度の耐湿性を有する複合板、即ち耐湿性複合板に関するものである。」（段落【０００１】） 
（Ｄ−３）
「樹脂シートを貼ったものは、耐湿性は向上するものの、家具等の製作の際芯材となる他部材、例えば木材やパーティクルボード等の木質下地材との接着において酢酸ビニル系の安価な接着剤が使用できず、エポキシ系或いはゴム系の接着剤を使用していたので、作業性が悪く、コストが高くなるという製造面での問題があった。」（段落【０００３】第１−８行） 
（Ｄ−４）
「上記した構成により、本発明では、２枚の紙（３１、３１）の間に融着された熱可塑性樹脂シート（３２）が外部からの水分或いは湿気を遮断して耐湿性を付与すると同時に、紙が木質基材（２）との接着及び家具等に製造する際の他部材との接着を容易化し、更に、２枚の紙の間に融着された熱可塑性樹脂シートによって三層シート（３）の引張強度が増大するように作用する。」（段落【００１１】） 
（Ｄ−５）
「一方、木質基材２に三層シート３を接着する接着剤としては、木質基材２と接着する三層シート３の両面が紙３１であるので、コストの安価な酢酸ビニル系樹脂が使用出来る。……。また、これらを接着する方法としては、木質部材２の両面又は片面に接着剤を塗布し、三層シート３を木質基材２と一緒にロール間を通過させて貼り合わせるラミネート方式で行うことが出来るため、生産性に優れる。なお、この他、平板プレスで圧締して貼り合わせる平板プレス方式を採用しても良いが、生産性の点からはラミネート方式が有利である。」（段落【００１７】） 
（Ｄ−６）
「本発明による耐湿性複合板１は以上のような構成を有するので、水分や湿気によって収縮や変形を起こし易い木質基材２はその両面が三層シート３で保護されることとなり、従って耐湿性複合板１の耐湿性が大幅に改善される。」（段落【００１８】）　
　
刊行物３
（Ｅ−１）
「【請求項１】非透水性・非透湿性シートを、木質ボードの両面に貼着し、該木質ボードを、木質基材からなる芯材の両側に貼り合わせたことを特徴とする反りを防止した扉の製造方法。」（【特許請求の範囲】）
（Ｅ−２）
「【従来の技術】従来のフラッシュ扉は薄い合板の片面に突板，化粧シート，塩ビシート等を貼着した化粧合板を木質基材からなる芯材の両面に貼り合わせたものがほとんどであった。」（段落【０００２】）　
　
　
７　対比・判断 
７−１　取消理由通知の妥当性についての検討 
　先に、上記５で挙げた取消理由通知の妥当性について検討する。 
　上記５（１）の取消の理由は、訂正前の請求項１ないし５に係る特許は、特許法第２９条第２項の規定により特許を受けることができない特許出願に対してされたものであり、特許を取り消すべきものである旨のものである。
　また、上記５（２）の取消の理由は、訂正前の請求項１及び２に係る特許について取り消す旨のものである。
　このうち訂正前の請求項１及び２は訂正により削除されたから、上記５（１）の訂正前の請求項１及び２に関する取消の理由、及び上記５（２）の取消の理由は存在しないことは明らかである。
　一方、訂正前の請求項３ないし５は訂正により、それぞれ本件発明１ないし３とされたものである。そこで、上記５（１）の、訂正前の請求項３ないし５に関する取消の理由について検討する。
　
７−１−２
（１）本件発明１について 
　刊行物１には、摘示（Ｃ−１）から、下記の発明（以下「刊行物１発明」という）が、記載されていると認められる。
「ホルムアルデヒドキャッチャー剤を含有する、不織布、和紙等の単板（２）の片面に、通気性を有しない合成樹脂フィルム（３）を装貼したシート（４ｂ）を合成樹脂フィルム（３）側を内面にして、合板、チップボード、パーティクルボード等の台板（５）の裏面に熱圧締し、合成樹脂フィルム（３）を溶融して貼着するとともに台板（５）の表面には化粧紙、塩化ビニール樹脂シート、突板等を貼着して化粧層（６）を形成して作られるホルムアルデヒド臭の無い化粧板（７）」
　本件発明１と刊行物１発明とを対比すると、後者の「台板（５）」は前者の「基材」に相当し、後者のシート（４ｂ）の「通気性を有しない合成樹脂フィルム（３）」は、摘示（Ｃ−２）によれば、台板裏面の水分の出入りが少なくなり、台板の含水率を一定保持し、化粧板の反りを防止する効果を有し、防湿層としての機能を有するものであるから、前者の「防湿層」に相当する。さらに後者のシート（４ｂ）の「ホルムアルデヒドキャッチャー剤を含有する、不織布、和紙等の単板（２）」は、前者の「ホルマリン捕捉剤含有基体層」に相当することは明らかだから、後者の「ホルムアルデヒドキャッチャー剤を含有する、不織布、和紙等の単板（２）の片面に、通気性を有しない合成樹脂フィルム（３）を装貼したシート（４ｂ）」は、前者の「ホルマリン捕捉剤含有基体層と防湿層とを積層してなるホルマリン捕捉防湿シート」に相当し、後者にてシート（４ｂ）を台板（５）に「貼着する」は、前者のホルマリン捕捉防湿シートを基材に「貼付してなる」に相当するものと認められる。そうすると、両者は「ホルマリン捕捉剤含有基体層と防湿層とを積層してなるホルマリン捕捉防湿シートを、基材の一面に貼付してなる化粧板」である点で一致する。
　しかし、前者が「ホルマリン捕捉防湿シートを、基材の両面に貼付してなる化粧板であって、そのホルマリン捕捉剤含有基体層を前記基材表面に接して貼付されてなることを特徴とし、前記ホルマリン捕捉防湿シートの少なくとも一方が、ホルマリン捕捉剤含有基体層と、防湿層と、繊維質基体層とをこの順に積層してなることを特徴とするホルマリン捕捉防湿シートである」のに対して、後者では「台板（５）」の他方の面「シート（４ｂ）」は貼付されておらず、「化粧層（６）」を形成している点で相違すると認められる。
　上記相違点について検討する。
　刊行物２には摘示（Ｄ−１）、（Ｄ−２）、（Ｄ−６）から、木質基材の両面に、熱可塑性樹脂シートの両面にそれぞれ紙が融着した三層シートを貼接することで、水分や湿気によって収縮や変形を起こし易い木質基材の両面を保護する耐湿性複合板に関する事項が記載されている。
　その摘示（Ｄ−３）ないし（Ｄ−５）によると、熱可塑性樹脂シートの両面にそれぞれ紙が融着した三層シートを使用することは、熱可塑性樹脂シートと木質基材との接着を容易化する目的で、化粧板におけるホルマリンの臭気を技術課題として開示しているものではなく、ホルマリン捕捉剤含有基体層については記載されておらず、示唆もないから、刊行物２に記載された事項を参酌しても、上記の相違点について解消するものではない。
　これに対して、本件発明１では、上記相違点として示した構造を含む化粧板とすることで、基材が発散するホルマリンを、ホルマリン捕捉剤含有基体層に含有されるホルマリン捕捉剤が高効率に捕捉して、ホルマリンが外気中へ発散して使用者に健康被害や不快感を与えることがなく、防湿層が外気と基材との間の水分の移動を阻止するために、基材の吸放湿による寸法変化が発生することがないという優れた利点を有するから、本件発明１は格別の効果を奏するものである。
　したがって、本件発明１は、当業者が刊行物１及び２に記載された発明に基いて容易に発明をすることができたものとすることはできない。
　
（２）本件発明２について 
　本件発明２と刊行物１発明とを対比すると、後者の「ホルムアルデヒドキャッチャー剤を含有する、不織布、和紙等の単板（２）の片面に、通気性を有しない合成樹脂フィルム（３）を装貼したシート（４ｂ）」は上記（１）で検討したように、前者の「ホルマリン捕捉剤含有基体層と防湿層とを積層してなるホルマリン捕捉防湿シート」に相当すると認められるから、両者は「ホルマリン捕捉剤含有基体層と防湿層とを積層してなるホルマリン捕捉防湿シートを、基材の一面に貼付してなる化粧板」である点で一致する。
　しかし、前者が「ホルマリン捕捉防湿シートを、基材の両面に貼付してなる化粧板であって、前記ホルマリン捕捉防湿シートの少なくとも一方が、防湿層の両面に、ホルマリン捕捉剤含有基体層を積層してなる」のに対して、後者では「台板（５）」の他方の面に「シート（４ｂ）」は貼付されておらず、「化粧層（６）」を形成している点で相違すると認められる。
　上記相違点について検討する。
　刊行物２は、上記（１）にて記載したとおりの耐湿性複合板に関する事項が記載されているが、ホルマリン捕捉剤含有基体層について開示するものではなく、そのことを示唆する記載もないから、刊行物２を参酌しても、上記の相違点ニ及びホについて解消するものではない。 
　これに対して、本件発明２では、上記相違点として示した構造を含む化粧板とすることで、基材の少なくとも一方の側では、必然的にホルマリン捕捉剤含有基体層と基材とが接して貼付されるから、基材が発散するホルマリンを、ホルマリン捕捉剤含有基体層のホルマリン捕捉剤が高効率に捕捉して、ホルマリンが外気中へ発散して使用者に健康被害や不快感を与えることがなく、防湿層が外気と基材との間の水分の移動を阻止するために、基材の吸放湿による寸法変化が発生することがないという優れた利点を有するから、格別の効果を奏するものである。
　したがって、本件発明２は、当業者が刊行物１及び２に記載された発明に基いて容易に発明をすることができたものとすることはできない。
   
（３）本件発明３について
　本件発明３は、本件発明１又は２の発明特定事項をすべて含み、さらに他の発明特定事項が付加された、内装用部材に関する発明である。本件発明１又は２は、上記（１）、（２）において検討したように、当業者が刊行物１及び２に記載された発明に基いて容易に発明をすることができたものではなく、また、取消理由通知にて、訂正前の請求項５に関連して提示した刊行物３は、摘示（Ｅ−１）、（Ｅ−２）によると、フラッシュパネルの構造に関する周知の技術を提示したものに過ぎないから、上記（１）、（２）で検討したのと同様の理由により、本件発明３は、当業者が刊行物１ないし３に記載された発明に基いて容易に発明をすることができたものとすることはできない。
 　 
７−１−３　まとめ
　以上のとおりであるから、本件特許は特許法第２９条第２項に規定する要件を満たさない特許出願に対して、特許されたものではない。
　
７−２　特許異議申立人の主張についての検討 
７−２−１　理由（特許法第２９条第２項）について 
　本件発明１ないし３は、訂正前の請求項３ないし５を訂正したものであるから、訂正前の請求項３ないし５に係る発明は、当業者が甲第２ないし４号証に記載された発明に基いて容易に発明をすることができたものである旨の特許異議申立人の主張について検討する。
　
（１）本件発明１について
　甲第４号証には、摘示（Ｄ−１）に記載されたとおりの、次の発明（以下「甲第４号証発明」という）が記載されているものと認められる。
「木質基材（２）の両面又は片面に、熱可塑性樹脂シート（３２）の両面にそれぞれ紙（３１）が融着された三層シート（３）を貼設して構成した耐湿性複合板。」
　本件発明１と甲第４号証発明とを対比すると、後者の「熱可塑性樹脂シート」は、摘示（Ｄ−４）によれば外部からの水分或いは湿気を遮断して耐湿性を付与する機能を有するから、前者の「防湿層」に相当し、また後者の三層シートの層を形成する「紙」は、前者の「繊維質基材」に相当すると認められるから、両者は、「防湿層を積層してなるシートを、基材の両面に貼付してなる化粧板であって、前記シートが、防湿層と、繊維質基材とを積層してなることを特徴とするシートであることを特徴とする化粧板。」であることについて一致する。
　しかし、前者は「ホルマリン捕捉防湿シートを、基材の両面に貼付してなる化粧板であって、そのホルマリン捕捉剤含有基体層を前記基材表面に接して貼付されてなることを特徴とし、前記ホルマリン捕捉防湿シートの少なくとも一方が、ホルマリン捕捉剤含有基体層と、防湿層と、繊維質基体層とをこの順に積層してなることを特徴とするホルマリン捕捉防湿シートである」のに対して、後者ではそうではない点で相違すると認められる。
　特許異議申立人は、上記相違点に対して甲第２及び３号証を提示し、木質基材の両面に貼設される三層シートの内、少なくとも一方の三層シートを構成する紙のいずれか一方を、甲第２号証に記載のホルマリン吸収用の防臭加工紙に置き換えること、ないしは、甲第４号証に記載の耐湿性複合板において、木質基材の両面に貼設される三層シートの内、少なくとも一方の三層シートを構成する紙と熱可塑性樹脂シートを、甲第３号証に記載のホルムアルデヒドキャッチャー剤の結晶を内部に散在させた不織布、和紙等からなる単板と合成樹脂フィルムを装貼したシートに置き換えることは当業者において容易になし得る仕様変更の範囲に過ぎないと主張している。
　上記相違点について検討する。
　甲第２号証には、摘示（Ｂ−１）ないし（Ｂ−３）によれば、ホルマリン吸収用の防臭加工紙を木目印刷紙として合板のパターン紙に使用したものが記載されている。甲第２号証の合板におけるホルマリン吸収用の防臭加工紙は、本件発明１の「ホルマリン捕捉剤含有基体層」に相当すると認められるが、ホルマリン吸収用の防臭加工紙を合板の両面に設けること、及び防湿層積層することについて記載はなく、これらの事項を示唆する記載もない。また、甲第３号証には上記７−１（１）にて記載した刊行物１発明が記載されているが、ホルマリン捕捉防湿シートであるシート（４ｂ）は、防湿層である「合成樹脂フィルム（３）」と、のホルマリン捕捉剤含有基体層である「ホルムアルデヒドキャッチャー剤を含有する、不織布、和紙等の単板（２）」の２層構造で、「合成樹脂フィルム（３）」の側を基材に貼着するから、本件発明１のホルマリン捕捉防湿シートに関するものとは構造及び、各層の配置が異なる上に、基材の一面にのみ貼付していて、両面に貼付することの記載はなく、そのことを示唆する記載もない。
　これに対して、本件発明１では、化粧板が、上記相違点として示した構造を含むことで、その基材が発散するホルマリンを、ホルマリン捕捉剤含有基体層に含有されるホルマリン捕捉剤が高効率に捕捉して、ホルマリンが外気中へ発散して使用者に健康被害や不快感を与えることがなく、防湿層が外気と基材との間の水分の移動を阻止するために、基材の吸放湿による寸法変化が発生することがないという優れた利点を有するから、本件発明１は格別の効果を奏するものである。
　したがって、本件発明２は、当業者が甲第２ないし４号証に記載された発明に基いて容易に発明をすることができたものとすることはできない。
　
（２）本件発明２について
　本件発明２と甲第４号証発明とを対比すると、上記（１）にて検討したように両者は、「少なくとも防湿層を積層してなる防湿シートを、基材の両面に貼付してなる化粧板」である点で一致するが、前者が「ホルマリン捕捉防湿シートを、基材の両面に貼付してなる化粧板であって、前記ホルマリン捕捉防湿シートの少なくとも一方が、防湿層の両面に、ホルマリン捕捉剤含有基体層を積層してなる」のに対して、後者ではそうではない点で相違すると認められる。
　特許異議申立人は、上記相違点に対して甲第２及び３号証を提示して、上記（１）の本件発明１に対してしたのと同様の主張をする。
  上記相違点について検討する。
　甲第２及び３号証には、上記（１）で検討したように、「ホルマリン捕捉剤含有基体層」に相当する層を備える化粧板に関するが、甲第２号証にはホルマリン吸収用の防臭加工紙を合板の両面に設けること、及び防湿層を積層することについて記載はなく、これらの事項を示唆する記載もない。また、甲第３号証は、ホルマリン捕捉防湿シートであるシート（４ｂ）は、シートを構成する層の数、層の配置ともに、本件発明２の、ホルマリン捕捉防湿シートとは異なる上に、両面に貼付するものではないから、上記相違点については、甲第３及び４号証をみても、解消しえない事項である。
　これに対して、本件発明２では、化粧板が、上記相違点として示した構造を含むことで、その基材が発散するホルマリンを、ホルマリン捕捉剤含有基体層のホルマリン捕捉剤が高効率に捕捉して、ホルマリンが外気中へ発散して使用者に健康被害や不快感を与えることがなく、防湿層が外気と基材との間の水分の移動を阻止するために、基材の吸放湿による寸法変化が発生することがないという優れた利点を有するから、格別の効果を奏するものである。
　したがって、本件発明２は、当業者が甲第２ないし４号証に記載された発明に基いて容易に発明をすることができたものとすることはできない。
　
（３）本件発明３について
　本件発明３は、本件発明１又は２の発明特定事項をすべて含み、さらに他の発明特定事項が付加された発明である。上記（１）、（２）にて検討したように、本件発明１又は２は、当業者が甲第２ないし４号証に記載された発明に基いて容易に発明をすることができたものではないから、これらの発明にさらに発明特定事項を付加した本件発明３も同様の理由により、当業者が甲第２ないし４号証に記載された発明に基いて容易に発明をすることができたものとすることはできない。
 　
７−２−３　まとめ
　以上みてきたように、本件発明１ないし３は、当業者が甲第２ないし４号証に記載された発明に基いて容易に発明をすることができたものではないから、特許法第２９条第２項の規定に違反するものではない。　
　
　
８　むすび 
　以上のとおりであるから、特許異議申立ての理由及び証拠によっては、本件発明１ないし３についての特許を取り消すことはできない。 
　また、他に本件発明についての特許を取り消すべき理由を発見しない。 
　よって、結論のとおり決定する。 
【異議決定日】
平成１７年１２月１２日（２００５．１２．１２）
【訂正の要旨】
審決（決定）の【理由】欄参照。
（５４）【発明の名称】
化粧板及び内装用部材
（５７）【特許請求の範囲】
　【請求項１】少なくともホルマリン捕捉剤含有基体層と防湿層とを積層してなるホルマリン捕捉防湿シートを、基材の両面に貼付してなる化粧板であって、前記・ホルマリン捕捉防湿シートが、そのホルマリン捕捉剤含有基体層を前記基材表面に接して貼付されてなることを特徴とし、前記ホルマリン捕捉防湿シートの少なくとも一方が、ホルマリン捕捉剤含有基体層と、防湿層と、繊維質基体層とをこの順に積層してなることを特徴とするホルマリン捕捉防湿シートであることを特徴とする化粧板。
　【請求項２】少なくともホルマリン捕捉剤含有基体層と防湿層とを積層してなるホルマリン捕捉防湿シートを、基材の両面に貼付してなる化粧板であって、前記ホルマリン捕捉防湿シートの少なくとも一方が、防湿層の両面に、ホルマリン捕捉剤含有基体層を積層してなることを特徴とする化粧板。
　【請求項３】角材を縦横に組んでなる枠心の表裏に板材を張り合わせたフラッシュ構造のドア等の内装用部材において、前記板材が請求項１又は２に記載の化粧板であることを特徴とする内装用部材。
【発明の詳細な説明】
　【０００１】
　【発明の属する技術分野】本発明は、壁面材や造作部材、建具等の建装材や家具等に使用して、基材から発生するホルマリンを捕捉して無臭化、無害化するホルマリン捕捉機能を有するとともに、基材の吸放湿による反りの発生を防止する防湿効果を有するホルマリン捕捉シート、及びそれを用いた化粧板及び内装用部材に関するものである。
　【０００２】
　【従来の技術】近年、壁面材や造作部材、建具等の建装材や家具等の製造において、天然木材の無垢材よりも安価な材料として、合板、パーティクルボード、ハードボード、中密度繊維板（ＭＤＦ）等の繊維板、珪酸カルシウム板や石膏ボード等の無機質板等の基材が広く用いられている。これらの基材は天然木材の無垢材と比較して表面の意匠性が劣るため、紙や合成樹脂フィルム等に木目、石目や抽象柄等の各種意匠を施した化粧紙や化粧シートが別途用意されていてこれを表面に貼付して用いたり、または予め表面に化粧紙や化粧シート等で意匠を施してなる化粧板が用意されていてこれを用いる方法が、ますます広く行われる様になっている。
　【０００３】前記した合板、中密度繊維板等の木質材料を樹脂加工してなる基材は、製造時にホルマリンを含有する接着剤を使用したものが多く、製造後も遊離のホルマリンや熱処理時の分解によるホルマリンが残留するため、こうした基材を使用して製造された部材からは、有害で特異な不快臭を有するホルマリンが発散し、使用者にアレルギー症状等の健康被害や不快感を与える場合があり、非常に大きな問題となっている。
　【０００４】この問題を解決する手段として従来、（Ａ）ホルマリンを含有・発生しない接着剤を使用して基材を製造する方法、（Ｂ）ホルマリン捕捉剤を配合した接着剤を使用して基材を製造する方法、（Ｃ）基材の製造後にホルマリン捕捉剤を塗布または含浸する方法、（Ｄ）基材への化粧紙の貼着時にホルマリン捕捉剤を含有する接着剤を使用する方法、（Ｅ）ホルマリン捕捉剤を含浸した紙を、部材内部の空洞部に充填する方法、（Ｆ）ホルマリン捕捉剤を含浸した紙を、基材や化粧板、部材等の梱包に使用する方法、等が提案されていた。
　【０００５】しかしながら、上記した各種の方法の内、（Ａ）は性能面・価格面で満足できる接着剤が存在しないという問題点があり、（Ｂ）はホルマリン発生を嫌う特定用途向けのみの小ロット生産はコスト高となるという問題点があり、（Ｃ）は専用の塗装機が必要となり、また工程が煩雑になるという問題点があり、（Ｄ）は特定用途のみに接着剤を使い分ける必要が生じ、資材管理や工程管理が煩雑になるという問題点があり、（Ｅ）は適用可能な部材の種類が限定される他、部材の表面側からのホルマリンの発散に対しては効果が得られないという問題点があり、（Ｆ）は当然ながら、開梱により効果が失われてしまうという問題点があった。
　【０００６】そこで、簡便な方法で永続的なホルマリン捕捉効果を得る目的で、（Ｇ）ホルマリン捕捉剤を含浸した紙を基材とした化粧紙を基材に貼付する方法も提案されていた（特公昭５２−１３４号公報参照）。しかしながらこの方法は、ホルマリン捕捉効果は得られても、基材の吸放湿による反りの発生を防止する防湿効果は得られないものであった。
　【０００７】すなわち、ドア等の様に大型平面状の内装用部材では、価格の低減と共に軽量化をも目的として、角材を縦横に組んでなる枠心（フレームコア）の表裏に単板、合板等の板材を張り合わせた所謂フラッシュ構造が広く採用されているが、このフラッシュ構造の部材は環境条件の異なる二つの空間の境界に置かれると、表裏の２枚の板材の吸放湿による伸縮が異なるために、部材が全体として反ってしまうという問題点があり、この問題点を解決する方法として、フラッシュ構造の部材の表裏の板材の表裏両面に防湿性（非透水・非透湿性）シートを積層しておく方法が提案されている（特開平６−２７２４５５号公報参照）。
　【０００８】しかしながら、この方法でホルマリン捕捉効果をも持たせようとすると、フラッシュ構造の部材の表裏の板材にまずホルマリン捕捉剤を含浸した紙を積層したのちに、さらに防湿性シートを積層する必要が生じる為、工程が著しく煩雑になるという問題点があった。
　【０００９】
　【発明が解決しようとする課題】本発明は上記した従来技術の問題点に鑑みてなされたものであって、有害で不快臭を有するホルマリンを発散することがなく、しかも耐湿性にも優れた化粧部材を、簡便な工程で製造するための、ホルマリン捕捉防湿シート、及びホルマリンを発散することがなく耐湿性にも優れた化粧板及び内装用部材を提供しようとするものである。
　【００１０】
　【００１１】
　【００１２】
　【課題を解決するための手段】本発明の化粧板は、少なくともホルマリン捕捉剤含有基体層と防湿層とを積層してなるホルマリン捕捉防湿シートを、基材の両面に貼付してなる化粧板であって、前記ホルマリン捕捉防湿シートが、そのホルマリン捕捉剤含有基体層を前記基材表面に接して貼付されてなることを特徴とし、前記ホルマリン捕捉防湿シートの少なくとも一方が、ホルマリン捕捉剤含有基体層と、防湿層と、繊維質基体層とをこの順に積層してなることを特徴とするホルマリン捕捉防湿シートであることを特徴とするものである。
　【００１３】また本発明の化粧板は、少なくともホルマリン捕捉剤含有基体層と防湿層とを積層してなるホルマリン捕捉防湿シートを、基材の両面に貼付してなる化粧板であって、前記ホルマリン捕捉防湿シートの少なくとも一方が、防湿層の両面に、ホルマリン捕捉剤含有基体層を積層してなることを特徴とするホルマリン捕捉防湿シートであることを特徴とするものである。
　【００１４】本発明の内装用部材は、角材を縦横に組んでなる枠心の表裏に板材を張り合わせたフラッシュ構造のドア等の内装用部材において、前記板材が上記のいずれかの化粧板であることを特徴とするものである。
　【００１５】
　【００１６】
　【００１７】
　【００１８】
　【００１９】
　【発明の実施の形態】以下本発明の実施の形態につき説明する。図１は本発明のホルマリン捕捉防湿シートの実施の形態を示す側断面図であり、図２は本発明のホルマリン捕捉防湿シートの他の実施の形態を示す側断面図であり、図３は本発明の化粧板の実施の形態を示す側断面図である。
　【００２０】本発明のホルマリン捕捉防湿シート１は、図１や図２に示す様に、少なくともホルマリン捕捉剤含有基体層３と防湿層４とを積層してなるものである。図１に示す例では、防湿層４上に絵柄用基体層５を介して絵柄層６が積層され、さらにその上に保護樹脂層７が設けられている。
　【００２１】ホルマリン捕捉剤含有基体層３は、ホルマリン捕捉防湿シート１を貼付する基材９が発散するホルマリンを捕捉し、無臭化・無害化するために設けられるものであって、紙、不織布、織布等の繊維質基体にホルマリン捕捉剤を内添、含浸または塗布して含有させたものを用いることが出来る。
　【００２２】ホルマリン捕捉剤としては、ホルマリンと化学的に反応して無害・無臭の物質に変化させる機能を有する物質であれば何でも使用可能であるが、特にジシアンジアミド、メラミン等のアミノ化合物、尿素、バルビツール酸、セミカルバジッド塩酸塩等のアマイド類、グルタミン酸塩、グリシン、アラニン等のアミノ酸類等の含窒素化合物を使用することが好ましい。
　【００２３】ホルマリン捕捉剤含有基体層３の厚さは特に限定されないが、例えば紙の場合、坪量２０〜１００ｇ／ｍ２の範囲とすることが好ましく、中でも２０〜５０ｇ／ｍ２の範囲とすることが、貼付作業性上及びコスト上、最も好ましい。
　【００２４】防湿層４は、外気中の湿気がホルマリン捕捉防湿シート１を透過して基材９に達し、または逆に基材９中の水分がホルマリン捕捉防湿シート１を透過して外気中に失われるのを防止し、外気の温湿度条件に拘わらず基材９中の水分を一定に保つために設けられるものであって、その材質としては例えばポリエチレン、ポリプロピレン、ポリ塩化ビニル、ポリ塩化ビニリデン、ポリエチレンテレフタレート、ポリエチレンナフタレート、ポリカーボネート、ポリテトラフロロエチレン等の合成樹脂、アルミニウム、ステンレス等の金属、ガラス、酸化珪素、窒化珪素、酸化マグネシウム等の無機物質、または樹脂含浸紙、樹脂含浸布等の様に、木材や紙等と比較して透湿度の低い材質であれば何でも使用可能であるが、基材９への貼付時の加工性や角部・局面部等への追随性等の点で、合成樹脂または金属箔を使用することが好ましい。
　【００２５】上記合成樹脂を用いる場合には、例えばアクリル樹脂、ポリビニルアセタール樹脂等の親水性樹脂を用いると、要求される防湿性を得るために必要な膜厚が厚くなり物性上・加工性上・価格上好ましくないので、疎水性樹脂を用いることが好ましい。また上記金属箔を用いる場合には、加工性、耐久性、価格等を考慮すると、アルミニウム箔を用いることが最も好ましい。
　【００２６】また上記防湿層４の膜厚は特に限定されないが、加工性の面からは概ね１００μｍ以下であることが好ましい。膜厚の下限は透湿度によって決定され、透湿度は概ね５０ｇ／ｍ２・２４ｈｏｕｒ以下であれば一応の効果は得られるが、長年の経時による変化を考慮すると２０ｇ／ｍ２・２４ｈｏｕｒ以下とすることが好ましく、特に屋外の風雨や浴室の湿気等に曝される過酷な環境で用いるものにあっては、５ｇ／ｍ２・２４ｈｏｕｒ以下とすることが好ましい。
　【００２７】上記ホルマリン捕捉剤含有基体層３と上記防湿層４とは通常接着剤を介して積層されるが、接着剤の材質としては、酢酸ビニル系接着剤、ウレタン系接着剤、エポキシ系接着剤、アクリル系接着剤、合成ゴム系接着剤、繊維素系接着剤等、従来公知の任意の接着剤が使用できる。また接着剤を使用せずに、防湿層４を溶液塗工法、融液塗工法、熱融着法、超音波融着法、真空製膜法等によりホルマリン捕捉剤含有基体層３の表面に直接積層しても良い。
　【００２８】本発明のホルマリン捕捉防湿シート１は、絵柄層６を設けることによって、基材９に意匠性を付与するための化粧シートとして使用することができる。この様にすると、基材９にホルマリン捕捉防湿シート１を貼着するという単一の工程だけで、基材９にホルマリン発散防止機能、防湿機能に加えて意匠性をも極めて簡便に付与することができるので、最も好適である。絵柄層６の形成方法としては、例えばオフセット印刷法、グラビア印刷法、スクリーン印刷法等の各種印刷法、ロールコート法、グラビアコート法、ナイフコート法、スプレーコート法等の各種コーティング法、転写法、直描法等、従来公知の任意の方法を使用することができる。
　【００２９】上記絵柄層６は、防湿層４上に直接設けても良いし、防湿層４が透明な材質である場合には、防湿層４とホルマリン捕捉剤含有基体層３との間に挟持した構成とすることも可能である。また絵柄層６をホルマリン捕捉剤含有基体層３上に設け、防湿層４側を基材９に貼付する構成としても、本発明の目的は達せられる。しかし、ホルマリン捕捉効率上、ホルマリン捕捉剤含有基体層３は、ホルマリンの発生源たる基材９に接して貼付する構成とした方がより好ましく、また防湿層４を構成する合成樹脂や金属箔等は、印刷適性があまり良くない場合があるので、図１に示す様に、防湿層４上に絵柄用基体層５を介して絵柄層６を積層した構成とすることが好ましい。
　【００３０】この様な構成とすると、例えばホルマリン捕捉剤含有基体層３に含有される、反応性の官能基を有するホルマリン捕捉剤が、直接若しくは紫外線の作用を受けて、基体となる紙等や絵柄層６中の着色用顔料等と反応して、これらを変褪色させる性質を有するものであっても、絵柄用基体層５及び絵柄層６が、防湿層４を介してホルマリン捕捉剤含有基体層３から隔てられているので、上記の様な反応によって変褪色を発生することがなく、長期に亘り良好な意匠性を維持することができるので、より好適である。
　【００３１】上記絵柄用基体層５は、絵柄層６の形成に好適な材質であれば何でも良いが、印刷適性の優れた紙を使用すると、意匠性に優れたホルマリン捕捉防湿シート１を得ることができるので最も好適である。またその厚さも特に限定されないが、印刷適性上、通常２０〜５０ｇ／ｍ２の範囲が好適である。また防湿層４上への絵柄用基体層５の積層方法としては、適当な接着剤を介する方法や、熱融着法等により直接積層する方法等、従来公知の任意の方法を使用することができる。
　【００３２】この様にして、ホルマリン捕捉剤含有基体層３と防湿層４に、絵柄用基体層５を介して絵柄層６を積層した構成とすると、まず絵柄用基体層５の表面に印刷法等により絵柄層６を設けておき、しかる後に防湿層４を介してホルマリン捕捉剤含有基体層３と積層する方法によるホルマリン捕捉防湿シート１の製造が可能になる。特に、防湿層４としてポリエチレン、ポリプロピレン、ポリ塩化ビニリデンから選ばれる合成樹脂を使用すると、表面に絵柄層６を設けた絵柄用基体層５とホルマリン捕捉剤含有基体層３との間に、高温で溶融した樹脂を押し出して貼り合わせ冷却硬化する、所謂エクストルージョンラミネート法を使用して、防湿層４の形成と同時に接着することができるので、最も好適である。また、防湿層４としてアルミニウム等の金属箔を使用する場合にも、防湿層４と絵柄用基体層５やホルマリン捕捉剤含有基体層３との接着に上記エクストルージョンラミネート法を利用することも可能である。
　【００３３】保護樹脂層７は、表面の絵柄層６を保護し、表面に耐汚染性、耐擦傷性等を付与する目的で設けられるものであって、透明な樹脂フィルムをラミネートしたものであってもコーティング層であっても良く、例えばアクリル系樹脂、ウレタン系樹脂、ポリエステル系樹脂、メラミン系樹脂、シリコーン系樹脂、繊維素系樹脂等、従来公知の任意の材料を使用することができる。
　【００３４】こうして得た本発明のホルマリン捕捉防湿シート１は、これを例えば合板、パーティクルボード、ハードボード、中密度繊維板等、吸放湿性の木質材料をホルマリンを含有する接着剤を用いて樹脂加工してなる基材９の表面に貼付することにより、その真価を発揮することができる。基材９への貼付には、従来公知の任意の接着剤を使用することができるが、本発明のホルマリン捕捉防湿シート１の基材９と貼付する面のホルマリン捕捉剤含有基体層３は、前述の通り本質的に紙、不織布、織布等の繊維質基体を主体としたものであるので、例えば酢酸ビニル系エマルジョン接着剤の様に、木材加工業界や建築業界において多用されている接着剤を使用して、従来と同様の要領で好適に施工することができる。
　【００３５】本発明のホルマリン捕捉防湿シート１を例えばフラッシュ構造のドアの表面装飾材として使用する場合に、基材９の表面のみならず裏面にも、ホルマリン発散防止及び防湿効果の付与の目的でホルマリン捕捉防湿シート１を貼付する必要があるが、裏面には意匠性付与の必要はないので絵柄層６は必要なく、従ってホルマリン捕捉剤含有基体層３と防湿層４の２層構成であっても本発明の目的は達成できる。
　【００３６】しかしながら、枠心との接着を考慮すると、防湿層４の材質として上に例示した合成樹脂や金属箔等は一般に接着性に乏しい場合が多く、特に木材加工業界や建築業界で多用されている酢酸ビニル系エマルジョン接着剤の使用は困難である。従って、図２に示す様に、防湿層４上に、上記酢酸ビニル系エマルジョン接着剤との接着性に優れた紙、織布、不織布等の繊維質基体層８を積層した構成のホルマリン捕捉防湿シート１を使用することが好ましい。
　【００３７】また、例えば上記したフラッシュ構造の部材の枠心との接着部等の様に、この接着部分において特に強度を要求される場合には、通常の紙では強度が不足であるので、ホルマリン捕捉剤含有基体層３や繊維質基体層８として紙間強化紙を使用することが好ましい。
　【００３８】また、上記したフラッシュ構造の部材の枠心を構成する芯材や内部空間の充填材等として、平行合板（ＬＶＬ）や繊維板ハニカム材等、ホルマリンを発散する材料を使用する場合には、防湿層４の両面側にホルマリン捕捉剤含有基体層３を積層してなるホルマリン捕捉防湿シート１を基材９の裏面に貼付することが好ましい。この様な構成とすると、防湿層４の裏面側のホルマリン捕捉剤含有基体層３が上記芯材や充填材等に接しているので、芯材や充填材等からホルマリンが発生しても、上記ホルマリン捕捉剤含有基体層３に含有されるホルマリン捕捉剤により、これを効率よく捕捉することができるので好適である。
　【００３９】図３は本発明の化粧板２の一例を示したもので、ホルマリン捕捉剤含有基体層３、防湿層４、絵柄用基体層５、絵柄層６及び保護樹脂層７を積層してなるホルマリン捕捉防湿シート１を基材９の表面に、またホルマリン捕捉剤含有基体層３、防湿層４及び繊維質基体層８を積層してなるホルマリン捕捉防湿シート１を基材９の裏面にそれぞれ貼着してなるものである。
　【００４０】この様な化粧板２を予め用意しておくと、これを枠心の表裏にそれぞれ絵柄層６が外側を向く様に張り合わせることにより、基材９が発生するホルマリンを外気中に発散することがなく、また外気との間の吸放湿により基材９が伸縮して全体として反り等の変形を生じることがなく、しかも表面に印刷等による優れた意匠が施されたドア等のフラッシュ構造の大型平面状の内装用部材を、極めて簡便に製造することができる。
　【００４１】
　【実施例】以下実施例により本発明を詳細に説明する。
　【００４２】〈実施例１〉坪量３０ｇ／ｍ２の紙間強化紙に、グルタミン酸ナトリウムを２５重量％、ジシアンジアミドを５重量％それぞれ溶解した水溶液を含浸して脱水、乾燥し、坪量３５ｇ／ｍ２のホルマリン補足剤含有基体層を得た。
　【００４３】上記と同一の坪量３０ｇ／ｍ２の紙間強化紙を絵柄用基体層とし、これにグラビア印刷法により木目模様の絵柄層と２液硬化ウレタン樹脂による保護樹脂層とを施し、これと上記ホルマリン補足剤含有基体層との間に、エクストルージョンラミネート法により、ポリエチレン樹脂層を厚さ２５μｍに設けて防湿層を形成して、絵柄の意匠が施されたホルマリン捕捉防湿シートを得た。
　【００４４】一方、上記と同一の坪量３０ｇ／ｍ２の紙間強化紙を繊維質基体層とし、これと上記ホルマリン補足剤含有基体層との間に、エクストルージョンラミネート法により、ポリエチレン樹脂層を厚さ２５μｍに設けて防湿層を形成して、絵柄の意匠のないホルマリン捕捉防湿シートを得た。
　【００４５】厚さ２．５ｍｍの中密度繊維板を基材とし、この片面に上記絵柄の意匠が施されたホルマリン捕捉防湿シートを、もう片面に上記絵柄の意匠のないホルマリン捕捉防湿シートを、それぞれホルマリン補足剤含有基体層を基材表面側に向けて、酢酸ビニル系エマルジョン接着剤を使用して貼付し、化粧板を得た。
　【００４６】３０ｍｍ角の角材を縦横に組んでなる枠心の表裏に、上記化粧板を、それぞれ絵柄の意匠が施された面を外側に向けて、酢酸ビニル系エマルジョン接着剤を使用して張り合わせ、ドア用部材を得た。
　【００４７】このドア用部材を、片面は４０°Ｃ６０％ＲＨ、他面は２０°Ｃ３０％ＲＨの環境条件で１週間の反り試験を行ったところ、反りは１ｍあたり１ｍｍ以下であった。また、このドア用部材に使用した化粧板を用いて、ＪＩＳ−Ａ−５９０５に記載のホルムアルデヒド放出量試験を行ったところ、ホルムアルデヒド放出量は１ｍｇ／ｌ以下であった。
　【００４８】＜比較例１＞実施例１と同一の坪量３０ｇ／ｍ２の紙間強化紙に、実施例１と同一の要領で絵柄層及び保護樹脂層を施した化粧シートを、実施例１と同一の中密度繊維板の片面に、実施例１と同一の要領で貼付し、化粧板を得た。
　【００４９】実施例１と同一の枠心の表裏に、上記化粧板を、化粧シートが貼付された面を外側に向けて、実施例１と同一の要領で張り合わせ、ドア用部材を得た。
　【００５０】このドア用部材を、実施例１と同一の条件で反り試験を行ったところ、１ｍあたり約４ｍｍの反りが発生した。また、実施例１と同一の条件でホルムアルデヒド放出量試験を行ったところ、ホルムアルデヒド放出量は約４．８ｍｇ／ｌに達した。
　【００５１】
　【発明の効果】本発明のホルマリン捕捉防湿シートは、少なくともホルマリン捕捉剤含有基体層と防湿層とを積層した構成としたことにより、各種部材の基材として、有害で不快臭を有するホルマリンを発散する、木質材料を樹脂加工してなる基材を使用しても、その基材の表面に前記ホルマリン捕捉防湿シートを貼付するという単一の工程を経るだけで、有害で不快臭を有するホルマリンを発散することがなく、また吸放湿による伸縮や変形を発生することのない高品質の部材を、極めて簡便に製造することができるという優れた利点を有するものである。
　【００５２】また本発明のホルマリン捕捉防湿シートは、前記防湿層上に、絵柄用基体層を介して絵柄層を積層した構成としたことにより、基材の表面に前記ホルマリン捕捉防湿シートを貼付するという単一の工程を経るだけで、有害で不快臭を有するホルマリンを発散することがなく、吸放湿による伸縮や変形を発生することもなく、しかも表面に印刷等により自由に表現された優れた意匠をも兼ね備えた高品質の部材を、極めて簡便に製造することができるという優れた利点を有するものである。
　【００５３】また本発明のホルマリン捕捉防湿シートは、前記防湿層上に、繊維質基体層を有する構成としたことにより、例えばドア等のフラッシュ構造の大型平面状の部材の表裏板材の内面に使用する場合の枠心との接着の様に、他の部材・要素等との接着に用いる接着剤として、例えば酢酸ビニル系エマルジョン接着剤の様に、木材加工業界や建築業界において多用されている接着剤を使用して、従来と同様の要領で好適に施工することができるという優れた利点を有するものである。
　【００５４】また本発明のホルマリン捕捉防湿シートは、前記防湿層の両面に、ホルマリン捕捉剤含有基体層を有する構成としたことにより、また、例えばドア等のフラッシュ構造の大型平面状の部材の表裏板材の内面に使用した場合に、枠心を構成する芯材や内部空間の充填材等としてホルマリンを発散する材料を使用しても、防湿層の裏面側のホルマリン捕捉剤含有基体層が上記芯材や充填材等に接しているので、芯材や充填材等からホルマリンが発生しても、上記ホルマリン捕捉剤含有基体層に含有されるホルマリン捕捉剤により、これを効率よく捕捉することができるのという優れた利点を有するものである。
　【００５５】また本発明の化粧板は、少なくともホルマリン捕捉剤含有基体層と防湿層とを積層してなるホルマリン捕捉防湿シートを、基材の両面に貼付した構成としたことにより、基材が発散する有害で不快臭を有するホルマリンを、ホルマリン捕捉剤含有基体層に含有されるホルマリン捕捉剤が捕捉、無害化・無臭化するために、このホルマリンが外気中へ発散して使用者に健康被害や不快感を与えることがなく、しかも防湿層が外気と基材との間の水分の移動を阻止するために、基材の吸放湿による寸法変化が発生することがないという優れた利点を有するものである。
　【００５６】また本発明の化粧板は、前記ホルマリン捕捉防湿シートの少なくとも一方が、絵柄層を有する構成としたことにより、ホルマリンを発散することがなく、耐湿性に優れると同時に、印刷等により自由に表現された優れた意匠をも兼ね備えることができるという優れた利点を有するものである。
　【００５７】また本発明の化粧板は、前記ホルマリン捕捉防湿シートが、そのホルマリン捕捉剤含有基体層を前記基材表面に接して貼付された構成としたことにより、基材が発散したホルマリンを、基材表面に接して配設されたホルマリン捕捉剤含有基体層に含有されるホルマリン捕捉剤によって、迅速に且つ遺漏なく、高効率に捕捉、無害化・無臭化することができるという優れた利点を有するものである。
　【００５８】また本発明の化粧板は、前記ホルマリン捕捉防湿シートの少なくとも一方が、防湿層の両面にホルマリン捕捉剤含有基体層を有する構成としたことにより、例えばドア等のフラッシュ構造の大型平面状の部材の表裏板材として使用した場合に、上記防湿層の両面にホルマリン捕捉剤含有基体層を有するホルマリン捕捉防湿シートを貼付した面を内面側に向けて使用することにより、枠心を構成する芯材や内部空間の充填材等としてホルマリンを発散する材料を使用しても、防湿層の裏面側のホルマリン捕捉剤含有基体層が上記芯材や充填材等に接しているので、芯材や充填材等からホルマリンが発生しても、上記ホルマリン捕捉剤含有基体層に含有されるホルマリン捕捉剤により、これを効率よく捕捉することができるのという優れた利点を有するものである。
　【００５９】本発明の内装用部材は、角材を縦横に組んでなる枠心の表裏に板材を張り合わせたフラッシュ構造のドア等の内装用部材において、少なくともホルマリン捕捉剤含有基体層と防湿層とを積層してなるホルマリン捕捉防湿シートを基材の両面に貼付してなる化粧板を、枠心の表裏に張り合わせた構成としたことにより、基材が発散する有害で不快臭を有するホルマリンが、ホルマリン捕捉剤によって捕捉、無害化・無臭化され、外気中へ放出されることがないので、居住者に健康被害や不快感等を与えることがなく、また部材の両面側の外気の温湿度条件の差や時間的な温湿度条件の変動があっても、外気と基材との間の水分の移動が防湿層によって阻止され、基材の吸放湿による部材の反りや歪み等の変形が発生することがないという優れた利点を有するものである。
【図面の簡単な説明】
　【図１】本発明のホルマリン捕捉防湿シートの実施の形態を示す側断面図である。
　【図２】本発明のホルマリン捕捉防湿シートの実施の形態を示す側断面図である。
　【図３】本発明の化粧板の実施の形態を示す側断面図である。
　【符号の説明】
　１‥‥ホルマリン捕捉防湿シート
　２‥‥化粧板
　３‥‥ホルマリン捕捉剤含有基体層
　４‥‥防湿層
　５‥‥絵柄用基体層
　６‥‥絵柄層
　７‥‥保護樹脂層
　８‥‥繊維質基体層
　９‥‥基材